(57)【要約】【課題】製造工数を削減するとともに防振性能や気密性能の低下を防止できる電気掃除機の製造方法を提供する。【解決手段】吸気口９ａを端面９ｄに開口したファンケース９により覆われる電動送風機６を本体部２に配置した電気掃除機１の製造方法において、開口面を有するカップ状に形成されるとともに該開口面の対向面に孔部１６ａを有するハウジング１６と、環状の環状部１８ａと環状部１８ａから放射状に突出する複数の突出部１８ｂとを有する緩衝体１８とを備え、環状部１８ａを挟んでファンケース９の端面９ｄをハウジング１６の開口面に押入し、ファンケース９の周面とハウジング１６の周壁との間に挟まれて環状部１８ａに対して折曲した突出部１８ｂの弾性によって電動送風機６をハウジング１６に保持する工程と、電動送風機６を保持したハウジング１６を本体部２に取り付ける工程とを設けた。【選択図】図４
2012045178.tif 000002
【特許請求の範囲】
【請求項１】
塵埃を集塵する集塵部を備えた本体部内に、吸気口を一端面に開口したファンケースにより覆われる電動送風機を配置した電気掃除機の製造方法において、一面に開口面を有するカップ状に形成されるとともに前記開口面の対向面に孔部を有するハウジングと、環状の環状部と前記環状部から放射状に突出する複数の突出部とを有する緩衝体とを備え、
前記環状部を挟んで前記ファンケースの前記端面を前記ハウジングの前記開口面に押入し、前記ファンケースの周面と前記ハウジングの周壁との間に挟まれて前記環状部に対して折曲した前記突出部の弾性によって前記電動送風機を前記ハウジングに保持する工程と、
前記電動送風機を保持した前記ハウジングを前記本体部に取り付ける工程と、
を設けたことを特徴とする電気掃除機の製造方法。
【請求項２】
前記ファンケースが前記吸気口の周囲に突出する突起部を有し、前記環状部を前記突起部に嵌合させて前記ファンケースを前記ハウジングに押入したことを特徴とする請求項１に記載の電気掃除機の製造方法。
【請求項３】
前記突出部を３箇所以上に設け、周方向に等間隔に配置したことを特徴とする請求項１または請求項２に記載の電気掃除機の製造方法。
【請求項４】
前記突出部の面積の合計が前記突出部間の空間の面積の合計よりも大きいことを特徴とする請求項３に記載の電気掃除機の製造方法。
【請求項５】
塵埃を集塵する集塵部を備えた本体部内に、吸気口を一端面に開口したファンケースにより覆われる電動送風機を配置した電気掃除機において、一面に開口面を有するカップ状に形成されるとともに前記開口面の対向面に孔部を有するハウジングと、環状の環状部と前記環状部から放射状に突出する複数の突出部とを有する緩衝体とを備え、
前記環状部を挟んで前記ファンケースの前記端面を前記ハウジングの前記開口面に押入し、前記ファンケースの周面と前記ハウジングの周壁との間に挟まれて前記環状部に対して折曲した前記突出部の弾性によって前記電動送風機を前記ハウジングに保持したことを特徴とする電気掃除機。
【発明の詳細な説明】
【技術分野】
【０００１】
本発明は、本体部内に電動送風機を備えた電気掃除機及びその製造方法に関する。
【背景技術】
【０００２】
従来の電気掃除機は特許文献１に開示されている。この電気掃除機は本体部の前部に塵埃を集塵する集塵部が設けられ、集塵部の後方に電動送風機が配される。電動送風機はファン及びモータをファンケースにより覆って構成される。ファンケースの前面には集塵部に臨む吸気口が開口し、周面には排気口が開口する。
【０００３】
電動送風機の駆動によって集塵部内に負圧が発生し、塵埃を含む気流が集塵部に流入する。塵埃は集塵部で集塵され、塵埃を除去された気流が吸気口からファンケースに流入して排気口から排気される。
【０００４】
ファンケースの前部には合成ゴムや発泡樹脂等の緩衝体が接着される。緩衝体は吸気口の周囲に接着される環状部と、ファンケースの周面に接着される帯状部とを有している。帯状部は本体部内に設けられる環状の支持片に嵌合し、電動送風機が緩衝保持される。これにより、緩衝体によって電動送風機の振動吸収及び気流路の気密性向上が図られる。
【先行技術文献】
【特許文献】
【０００５】
【特許文献１】特開平８−１５４８７６号公報（第２頁−第３頁、第１図）
【発明の概要】
【発明が解決しようとする課題】
【０００６】
上記従来の電気掃除機によると、電動送風機のファンケースに緩衝体を接着した後、電動送風機が本体部に取り付けられる。しかしながら、緩衝体の接着位置がずれると位置修正できないため接着作業を慎重に行う必要があり、電気掃除機の製造工数が大きくなる問題があった。また、接着剤によって緩衝体が変質して緩衝体の防振性能や気密性能が低下する問題もあった。
【０００７】
本発明は、製造工数を削減するとともに防振性能や気密性能の低下を防止できる電気掃除機及びその製造方法を提供することを目的とする。
【課題を解決するための手段】
【０００８】
上記目的を達成するために本発明は、塵埃を集塵する集塵部を備えた本体部内に、吸気口を一端面に開口したファンケースにより覆われる電動送風機を配置した電気掃除機の製造方法において、一面に開口面を有するカップ状に形成されるとともに前記開口面の対向面に孔部を有するハウジングと、環状の環状部と前記環状部から放射状に突出する複数の突出部とを有する緩衝体とを備え、
前記環状部を挟んで前記ファンケースの前記端面を前記ハウジングの前記開口面に押入し、前記ファンケースの周面と前記ハウジングの周壁との間に挟まれて前記環状部に対して折曲した前記突出部の弾性によって前記電動送風機を前記ハウジングに保持する工程と、
前記電動送風機を保持した前記ハウジングを前記本体部に取り付ける工程と、
を設けたことを特徴としている。
【０００９】
この構成によると、電動送風機がファンケースにより覆われ、ファンケースの吸気口を開口した端面が緩衝体の環状部を挟んでカップ状のハウジングの開口面に押入される。これにより、緩衝体の突出部が折曲され、ファンケースの周面とハウジングの周壁との間に挟まれて電動送風機がハウジングに保持される。そして、電動送風機を保持したハウジングが本体部に取り付けられる。電動送風機の駆動によって集塵部に負圧が発生し、塵埃を含む気流が集塵部に流入する。塵埃は集塵部で集塵され、塵埃を除去された気流が孔部及び吸気口を介してファンケース内に流入して排気される。
【００１０】
また本発明は、上記構成の電気掃除機の製造方法において、前記ファンケースが前記吸気口の周囲に突出する突起部を有し、前記環状部を前記突起部に嵌合させて前記ファンケースを前記ハウジングに押入したことを特徴としている。
【００１１】
また本発明は、上記構成の電気掃除機の製造方法において、前記突出部を３箇所以上に設け、周方向に等間隔に配置したことを特徴としている。
【００１２】
また本発明は、上記構成の電気掃除機の製造方法において、前記突出部の面積の合計が前記突出部間の空間の面積の合計よりも大きいことを特徴としている。
【００１３】
また本発明は、塵埃を集塵する集塵部を備えた本体部内に、吸気口を一端面に開口したファンケースにより覆われる電動送風機を配置した電気掃除機において、底面に孔部を有したカップ状に形成されるとともに前記本体部に取り付けられるハウジングと、環状の環状部と前記環状部から放射状に突出する複数の突出部とを有する緩衝体とを備え、
前記環状部を挟んで前記ファンケースの前記端面を前記ハウジングに押入し、前記ファンケースの周面と前記ハウジングの周壁との間に挟まれて前記環状部に対して折曲した前記突出部の弾性によって前記電動送風機を前記ハウジングに保持したことを特徴としている。
【発明の効果】
【００１４】
本発明によると、緩衝体の環状部を挟んでファンケースの端面をカップ状のハウジングに押入し、ファンケースの周面とハウジングの周壁との間に挟まれて環状部に対して折曲した突出部の弾性によって電動送風機がハウジングに保持される。そして、電動送風機を保持したハウジングが本体部に取り付けられる。これにより、緩衝体の装着位置がずれても位置修正ができるため、ハウジング及び緩衝体を容易に電動送風機に装着することができる。従って、電気掃除機の製造工数を削減することができる。また、従来例のように緩衝体が接着されないため、緩衝体が接着剤により変質することによる防振性能や気密性能の低下を防止することができる。
【図面の簡単な説明】
【００１５】
【図１】本発明の実施形態の電気掃除機を示す斜視図
【図２】本発明の実施形態の電気掃除機の本体部を示す側面断面図
【図３】本発明の実施形態の電気掃除機の電動送風機を示す概略側面断面図
【図４】本発明の実施形態の電気掃除機の緩衝体を示す平面図
【発明を実施するための形態】
【００１６】
以下に本発明の実施形態を図面を参照して説明する。図１は一実施形態の電気掃除機を示す斜視図である。電気掃除機１は電動送風機６（図２参照）を内装する本体部２を備えている。本体部２の背面には引き出し及び収納が可能な電源コード８が設けられる。電源コード８は電源プラグ９を先端に有し、商用電源のコンセントに差し込んで本体部２に電力供給される。
【００１７】
本体部２の前面には可撓性の接続ホース３が接続され、接続ホース３の先端には延長パイプ４が接続される。延長パイプ４の先端には床面に対峙する吸込口（不図示）を有した吸込口体５が設けられる。また、延長パイプ４にはパイプ把持部１３及び操作部１４が設けられる。使用者により操作部１４を操作して掃除運転が実行され、パイプ把持部１３を把持して吸込口体５を移動させる。
【００１８】
図２は本体部２の側面断面図を示している。本体部２は本体カバー１０により覆われる。本体カバー１０の前面には接続ホース３（図１参照）を接続する接続口１０ａが開口し、背面には排気口１０ｂが開口する。
【００１９】
本体部２０の前部には塵埃を集塵する集塵部２０が配される。集塵部２０は集塵容器２２及びフィルタ３７を備え、把持部４１を把持して本体カバー１０から着脱自在に形成される。集塵容器２２の周面には接続口１０ａに連通する流入口２２ａが設けられる。流入口２２ａは集塵容器２２内に旋回気流を形成するように気流を流入させる。集塵部２０の上部には背面に集塵部排気口４２ａを開口する排気流路４２が設けられる。
【００２０】
本体部２の後部には電動送風機６が配される。図３は電動送風機６の概略側面断面図を示している。電動送風機６はモータ７のモータ軸７ａに羽根車８が接続され、ファンケース９により覆われる。羽根車８を収納するファンケース９の上部はモータ７を収納する下部に対して径方向に大きく形成される。ファンケース９の軸方向の端面９ｄには吸気口９ａが開口し、下部の周面９ｅには排気口９ｂが開口する。また、吸気口９ａの周囲には環状の突起部９ｃが突設される。
【００２１】
前述の図２において、電動送風機６の上部には緩衝体１８を介して開口面を下方に配したカップ状のハウジング１６が被嵌される。ハウジング１６は開口面の対向面（上面）に孔部１６ａが設けられる。ハウジング１６の前部には本体カバー１０の内面に設けたリブ１０ｄに係合する係合部１６ｂが形成される。ハウジング１６の後部には本体カバー１０にネジ止めされるネジ部１６ｃが形成される。尚、孔部１６ａと集塵部排気口４２ａとを連結するダクト１５が本体部２内に設けられる。
【００２２】
ハウジング１６には電動送風機６の下方を覆うハウジング１７が係着される。ハウジング１７は電動送風機６の下端を支持し、前部に設けた係合部１７ａが本体カバー１０の内面に係合する。
【００２３】
図４は緩衝体１８の平面図を示している。緩衝体１８はクロロプレンゴム等の合成ゴムや発泡樹脂等によって形成される。緩衝体１８は環状の環状部１８ａと、環状部１８ａから放射状に突出する複数の突出部１８ｂとを備えている。環状部１８ａの内径はファンケース９の突起部９ｃ（図３参照）に嵌合する大きさに形成される。本実施形態では８箇所の突出部１８ｂを周方向に等間隔に設けている。この時、突出部１８ｂの合計の面積が突出部１８ｂ間の空間の面積の合計よりも大きく形成される。
【００２４】
電動送風機６は緩衝体１８の環状部１８ａを突起部９ｃに嵌合し、環状部１８ａを挟んで端面９ｄ（図３参照）がハウジング１６の開口面に押入される。これにより、緩衝体１８の突出部１８ｂが折曲され、ファンケース９の周面とハウジング１６の周壁との間に挟まれる。また、環状部１８ａがハウジング１６の内面に当接する。これにより、電動送風機６が環状部１８ａ及び突出部１８ｂの弾性によってハウジング１６に緩衝保持される。
【００２５】
次に、ハウジング１６にハウジング１７が係着される。そして、電動送風機６を保持したハウジング１６、１７が係合部１６ｂ、１７ａの係合及びネジ部１６ｃのネジ止めによって本体部２に取り付けられる。これにより、電動送風機６が本体部２内に装着され、緩衝体１８によって電動送風機６の振動吸収及び気流路の気密性向上が図られる。
【００２６】
上記構成の電気掃除機１において、電動送風機６の駆動によって集塵部２０に負圧が発生し、吸込口体５から床面の塵埃が吸い込まれて延長パイプ４及び接続ホース３を流通する。塵埃を含む気流は接続口１０ａ及び流入口２２ａを介して集塵部２０の集塵容器２２に流入し、集塵容器２２内に旋回気流を形成する。旋回気流の遠心力によって気流に含まれる比較的大きな塵埃が除去され、集塵容器２２内に堆積する。
【００２７】
大きな塵埃が除去された気流は上昇し、フィルタ３７により細かい塵埃が捕集される。フィルタ３７を通過した気流は排気流路４２を流通し、集塵部排気口４２ａを介して集塵部２０から流出する。集塵部２０から流出した気流はダクト１５を流通し、電動送風機６を介して排気口１０ｂから排気される。
【００２８】
本実施形態によると、緩衝体１８の環状部１８ａを挟んでファンケース９の端面９ｄがカップ状のハウジング１６に押入される。これにより、ファンケース９の周面とハウジング１６の周壁との間に挟まれて環状部１８ａに対して折曲した突出部１８ｂの弾性によって電動送風機６がハウジング１６により保持される。そして、ハウジング１６が本体部２に取り付けられ、電動送風機６が本体部２に装着される。
【００２９】
これにより、緩衝体１８の装着位置がずれてもハウジング１６を外して位置修正ができるため、ハウジング１６及び緩衝体１８を容易に電動送風機６に装着することができる。従って、電気掃除機１の製造工数を削減することができる。また、従来例のように緩衝体１８が接着されないため、緩衝体１８が接着剤により変質することによる防振性能や気密性能の低下を防止することができる。
【００３０】
また、ファンケース９の吸気口９ａの周囲に突出する突起部９ｃに環状部１８ａを嵌合させてファンケース９をハウジング１６に押入するので、緩衝体１８を容易に位置決めして作業性を向上することができる。
【００３１】
また、緩衝体１８の突出部１８ｂが８箇所に設けられ、周方向に等間隔に配置されるので、電動送風機６を安定して保持することができる。尚、突出部１８ｂが３箇所以上に設けられていれば、電動送風機６を安定して保持することができる。
【００３２】
また、突出部１８ｂの面積の合計が突出部１８ｂ間の空間の面積の合計よりも大きいので、電動送風機６をより安定して保持できるとともに防振性能を向上させることができる。
【００３３】
本実施形態において、電気掃除機１が電動送風機６を内装する本体部２に吸込口体５が接続ホース３を介して接続されるキャニスター型に形成されるが、本体部２に吸込口体５を一体に設けた縦型の電気掃除機であってもよい。
【産業上の利用可能性】
【００３４】
本発明によると、電動送風機を備えた電気掃除機に利用することができる。
【符号の説明】
【００３５】
１    電気掃除機
２    本体部
３    接続ホース
４    延長パイプ
５    吸込口体
６    電動送風機
９    ファンケース
１０    本体カバー
１６、１７  ハウジング
１８    緩衝体
１８ａ  環状部
１８ｂ  突出部
１９    集塵室
２０    集塵部
２２    集塵容器
２２ａ  流入口
４２    排気流路
４２ａ  集塵部排気口
【図１】
2012045178.tif 000003
【図２】
2012045178.tif 000004
【図３】
2012045178.tif 000005
【図４】
2012045178.tif 000006